(57)【要約】【課題】ユーザーの視線を認識してインタラクションモードに進入し、視線の位置をカーソルで表示するディスプレイ装置及びその制御方法を提供する。【解決手段】ディスプレイ装置は、ユーザーの視線を認識する認識部と、視線が予め設定された認識領域に位置するか判断し、視線が予め設定された認識領域に位置すると、インタラクションモードの進入を制御する制御部と、前記モードに対応する映像を表示する表示部と、を備える。ユーザーの視線を追跡して前記モードの進入を行うことによって、前記モードの進入を容易に行うことができ、より直観的にインタラクションを行うことができる。また、顔認識、音声認識及び視線認識を組み合わせてマルチモーダルインタラクションモードを行うことによって、より拡張されたインタラクションモードを行うことができ、ユーザーの命令を正確に判断でき、これにより正確な機能を実行することができる。【選択図】図１
2014086085.tif 000002
【特許請求の範囲】
【請求項１】
ユーザーの視線を認識する認識部と、
前記認識された視線があらかじめ設定された認識領域に位置するか否か判断し、前記認識された視線が前記あらかじめ設定された認識領域に位置すると、インタラクションモードの進入を制御する制御部と、
前記インタラクションモードに対応する映像を表示する表示部と、
を備えるディスプレイ装置。
【請求項２】
前記表示部は、前記あらかじめ設定された認識領域を表示する、請求項１に記載のディスプレイ装置。
【請求項３】
前記制御部は、前記視線が認識されると、前記あらかじめ設定された領域の表示情報を、前記視線を認識する前と異なる表示情報で表示する、請求項２に記載のディスプレイ装置。
【請求項４】
前記表示部は、前記認識された視線の位置をカーソルで表示する、請求項１に記載のディスプレイ装置。
【請求項５】
前記認識部は、前記ユーザーのモーションを認識し、
前記制御部は、前記認識されたモーションに対応する動作命令を判断し、該判断された動作命令に基づいて前記表示部の駆動を制御する、請求項１に記載のディスプレイ装置。
【請求項６】
前記認識部は、前記ユーザーの音声を認識し、
前記制御部は、前記認識された音声に対応する動作命令を判断し、該判断された動作命令に基づいて前記表示部の駆動を制御する、請求項１に記載のディスプレイ装置。
【請求項７】
前記制御部は、前記インタラクションモードに進入すると、前記ユーザーとのインタラクションのための複数の認識モードの表示を制御し、前記認識された視線の位置に基づいて前記複数の認識モードのいずれか一つの認識モードを選択する、請求項１に記載のディスプレイ装置。
【請求項８】
前記ユーザーの映像を収集する映像収集部と、
前記ユーザーの音声を収集するサウンド収集部と、
をさらに備え、
前記制御部は、前記選択されたいずれか一つの認識モードに基づいて前記映像収集部及びサウンド収集部の活性化を制御する、請求項７に記載のディスプレイ装置。
【請求項９】
前記認識部は、前記ユーザーの顔を認識し、
前記制御部は、前記認識されたユーザーがあらかじめ登録されたユーザーであるか否か判断し、前記認識されたユーザーがあらかじめ登録されたユーザーであれば、前記ユーザーの視線認識を制御し、前記認識されたユーザーが複数であれば、あらかじめ保存された優先順位に基づいて優先順位の最も高いユーザーの視線認識を制御する、請求項１に記載のディスプレイ装置。
【請求項１０】
前記制御部は、
前記認識された視線があらかじめ設定された終了領域に位置するか否か判断し、
前記認識された視線が前記あらかじめ設定された終了領域に位置すると、インタラクションモードが終了するように制御する、請求項１に記載のディスプレイ装置。
【請求項１１】
前記認識部は、
ユーザーの視線を認識する第１認識部と、前記ユーザーのモーション及び音声のうち少なくとも一方の信号を認識し、認識された少なくとも一方の信号に対応する前記ユーザーの命令を認識する第２認識部と、を備え、
前記制御部は、
前記あらかじめ設定された領域に視線が位置する状態でモーションが認識されると、該認識されたモーションに対応する命令を確認し、確認された命令に対応する機能の実行を制御し、及び／又は
前記あらかじめ設定された領域に視線が位置する状態で音声が認識されると、該認識された音声に対応する命令を確認し、確認された命令に対応する機能の実行を制御する、請求項１に記載のディスプレイ装置。
【請求項１２】
外部のリモコンから伝送されたサウンド信号を受信する通信部をさらに備え、
前記第２認識部は、前記受信したサウンド信号から音声を認識する、請求項１１に記載のディスプレイ装置。
【請求項１３】
外部の放送信号を受信するチューナー部と、
前記放送信号を、映像情報を持つ映像信号とサウンド情報を持つサウンド信号とに分離し、分離された映像信号とサウンド信号をそれぞれ信号処理する信号処理部と、
をさらに備え、
前記表示部は、前記あらかじめ設定された認識領域、チャンネルボタン及びボリュームボタンを表示し、前記認識された視線の位置をカーソルで表示し、
前記制御部は、前記表示部の領域外部に前記ユーザーの視線が位置すると、前記インタラクションモードが終了するように制御する、請求項１に記載のディスプレイ装置。
【請求項１４】
ユーザーの視線を認識し、
前記認識された視線があらかじめ設定された認識領域に位置するか否か判断し、
前記認識された視線が前記あらかじめ設定された認識領域に一定時間位置すると、インタラクションモードに進入し、
前記ユーザーとのインタラクションのための複数の認識モードを表示し、
前記表示された複数の認識モードの中から、前記認識された視線が位置する認識モードを判断し、
前記判断された認識モードを行って前記ユーザーの命令を認識し、
前記認識された命令に対応する機能を行うこと、を含む、ディスプレイ装置の制御方法。
【請求項１５】
前記インタラクションモードに進入すると、前記あらかじめ設定された認識領域を他の表示情報で表示することをさらに含む、請求項１４に記載のディスプレイ装置の制御方法。
【発明の詳細な説明】
【技術分野】
【０００１】
本開示は、ユーザーにより入力された情報の認識正確度を向上させるためのディスプレイ装置及びその制御方法に関する。
【背景技術】
【０００２】
ディスプレイ装置は、視覚的で立体的な映像情報を表示する装置である。
【０００３】
近年、陰極線管（Ｃａｔｈｏｄｅ  Ｒａｙ  Ｔｕｂｅ）の短所とされてきた重さと体積を軽減して設置空間の制約を減らす他、大画面の映像表示、平板化及び高画質化などを含む様々な性能に優れた平板ディスプレイ装置（Ｆｌａｔ  Ｄｉｓｐｌａｙ  Ｄｅｖｉｃｅ）が開発されてきている。
【０００４】
平板ディスプレイ装置の代表には、液晶ディスプレイ装置（Ｌｉｑｕｉｄ  Ｃｒｙｓｔａｌ  Ｄｉｓｐｌａｙ  Ｄｅｖｉｃｅ：ＬＣＤ）、エレクトロルミネセンスディスプレイ装置（Ｅｌｅｃｔｒｏ−Ｌｕｍｉｎｅｓｃｅｎｃｅ  Ｄｉｓｐｌａｙ  Ｄｅｖｉｃｅ：ＥＬＤ）、電界放出ディスプレイ装置（Ｆｉｅｌｄ  Ｅｍｉｓｓｉｏｎ  Ｄｉｓｐｌａｙ  Ｄｅｖｉｃｅ：ＦＥＤ）、プラズマディスプレイ装置（Ｐｌａｓｍａ  Ｄｉｓｐｌａｙ  Ｐａｎｅｌ：ＰＤＰ）、薄膜トランジスタ液晶ディスプレイ装置（Ｔｈｉｎ  Ｆｉｌｍ  Ｔｒａｎｓｉｓｔｏｒ−ＬＣＤ：ＴＦＴ−ＬＣＤ）、及びフレキシブルディスプレイ装置などがある。
【０００５】
このようなディスプレイ装置は、ユーザーの便宜性を向上させるための認識技術を有することがある。
【０００６】
その例には、モーション認識技術及び音声認識技術などがある。モーション認識技術は、モーションセンサーなどを用いてユーザーの動きを認識し、認識された動きから、ユーザーの命令する情報を判断する技術であり、音声認識技術は、音声センサーなどを用いてユーザーの音声を認識し、認識された音声から、ユーザーの命令する情報を判断する技術である。
【０００７】
これらの認識技術は、モーションや音声を正確に入力しないと、ユーザーが意図しなかった機能が実行されたり、ユーザー入力自体ができなくなるため、数回反復しなければならず、ユーザーに不便を掛けることがあった。
【０００８】
また、ユーザーが無意識に取るモーションや音声により、ユーザーが意図しなかったにもかかわらず特定の機能が動作してしまうこともあった。
【０００９】
その上、ディスプレイ装置にモーション認識技術を適用するとき、ユーザーが取れるモーションには制限があるにもかかわらず、ユーザーが平素よく取らないモーションや識別力の高いモーションを選択して命令語として設定しなければならず、命令語を設定するためのモーション選択において困難があった。
【発明の概要】
【発明が解決しようとする課題】
【００１０】
一側面は、ユーザーの視線を認識してインタラクションモードに進入し、視線の位置をカーソルで表示するディスプレイ装置及びその制御方法を提供する。
【００１１】
他の側面は、ユーザーの視線及びモーション、又はユーザーの視線及び音声を同時に認識して動作及び機能を制御するディスプレイ装置及びその制御方法を提供する。
【課題を解決するための手段】
【００１２】
一側面に係るディスプレイ装置は、ユーザーの視線を認識する認識部と、認識された視線があらかじめ設定された認識領域に位置するか否か判断し、認識された視線があらかじめ設定された認識領域に位置すると、インタラクションモードの進入を制御する制御部と、インタラクションモードに対応する映像を表示する表示部と、を備える。
【００１３】
表示部は、あらかじめ設定された認識領域を表示する。
【００１４】
制御部は、視線が認識されると、あらかじめ設定された領域の表示情報を、視線を認識する前と異なる表示情報で表示する。
【００１５】
表示部は、認識された視線の位置をカーソルで表示する。
【００１６】
認識部は、ユーザーのモーションを認識し、制御部は、認識されたモーションに対応する動作命令を判断し、判断された動作命令に基づいて表示部の駆動を制御する。
【００１７】
認識部は、ユーザーの音声を認識し、制御部は、認識された音声に対応する動作命令を判断し、判断された動作命令に基づいて表示部の駆動を制御する。
【００１８】
制御部は、インタラクションモードに進入すると、ユーザーとのインタラクションのための複数の認識モードの表示を制御し、認識された視線の位置に基づいて複数の認識モードからいずれか一つの認識モードを選択する。
【００１９】
ディスプレイ装置は、ユーザーの映像を収集する映像収集部と、ユーザーの音声を収集するサウンド収集部と、をさらに備え、制御部は、選択されたいずれか一つの認識モードに基づいて映像収集部及びサウンド収集部の活性化を制御する。
【００２０】
認識部は、ユーザーの顔を認識し、制御部は、認識されたユーザーがあらかじめ登録されたユーザーであるか否か判断し、認識されたユーザーがあらかじめ登録されたユーザーであればユーザーの視線認識を制御する。
【００２１】
制御部は、認識されたユーザーが複数であれば、あらかじめ保存された優先順位に基づいて優先順位の最も高いユーザーの視線認識を制御する。
【００２２】
制御部は、認識された視線があらかじめ設定された終了領域に位置するか否か判断し、認識された視線があらかじめ設定された終了領域に位置すると、インタラクションモードが終了するように制御する。
【００２３】
他の側面に係るディスプレイ装置は、ユーザーの視線を認識する第１認識部と、ユーザーの命令を認識する第２認識部と、認識された視線があらかじめ設定された認識領域に位置するか否か判断し、認識された視線があらかじめ設定された認識領域に位置すると、インタラクションモードの進入を制御し、認識された視線及び命令に基づいて複数の機能を選択的に制御する制御部と、インタラクションモードに対応する映像及び選択的に制御される機能に対応する映像を表示する表示部と、を備える。
【００２４】
第２認識部は、ユーザーのモーション及び音声のうち少なくとも一方の信号を認識し、認識された少なくとも一方の信号に対応する動作命令を認識する。
【００２５】
制御部は、あらかじめ設定された領域に視線が位置する状態でモーションが認識されると、認識されたモーションに対応する命令を確認し、確認された命令に対応する機能の実行を制御する。
【００２６】
制御部は、あらかじめ設定された領域に視線が位置する状態で音声が認識されると、認識された音声に対応する命令を確認し、確認された命令に対応する機能の実行を制御する。
【００２７】
複数の機能は、外部放送信号の再生、外部コンテンツの実行、再生モード及び画面調整モードのうち少なくとも一つを含む。
【００２８】
ディスプレイ装置は、外部のリモコンから伝送されたサウンド信号を受信する通信部をさらに備え、第２認識部は、受信したサウンド信号から音声を認識する。
【００２９】
さらに他の側面に係るディスプレイ装置は、外部の放送信号を受信するチューナー部と、放送信号を、映像情報を持つ映像信号とサウンド情報を持つサウンド信号とに分離し、分離された映像信号とサウンド信号をそれぞれ信号処理する信号処理部と、ユーザーの視線を認識する認識部と、認識された視線があらかじめ設定された認識領域に位置するか否か判断し、認識された視線があらかじめ設定された認識領域に位置すると、インタラクションモードの進入を制御する制御部と、信号処理された映像信号及びインタラクションモードに対応する映像を表示する表示部と、信号処理されたサウンド信号を出力するサウンド出力部と、を備える。
【００３０】
表示部は、あらかじめ設定された認識領域、チャンネルボタン及びボリュームボタンを表示し、認識された視線の位置をカーソルで表示する。
【００３１】
制御部は、表示部の領域外部にユーザーの視線が位置すると、インタラクションモードが終了するように制御する。
【００３２】
ディスプレイ装置は、ユーザーの音声及び映像のうち少なくとも一方の情報を収集する収集モジュールをさらに備え、認識部は、収集された音声及び映像のうち少なくとも一方の情報に対応する動作命令を認識し、制御部は、インタラクションモードに進入すると、認識された命令に基づいて複数の機能のうち少なくとも一つの機能を制御する。
【００３３】
さらに他の側面に係るディスプレイ装置の制御方法は、ユーザーの視線を認識し、認識された視線があらかじめ設定された認識領域に位置するか否か判断し、認識された視線があらかじめ設定された認識領域に位置すると、インタラクションモードに進入し、ユーザーとのインタラクションのための複数の認識モードを表示し、表示された複数の認識モードの中から、認識された視線が位置する認識モードを判断し、判断された認識モードを行ってユーザーの命令を認識し、認識された命令に対応する機能を実行する。
【００３４】
ディスプレイ装置の制御方法は、インタラクションモードに進入すると、あらかじめ設定された認識領域を他の表示情報で表示することをさらに含む。
【００３５】
インタラクションモードに進入することは、視線があらかじめ設定された領域を一定時間注視しているか否かを判断することを含む。
【００３６】
判断された認識モードを行ってユーザーの命令を認識することは、判断された認識モードがモーションモードであれば、ユーザーのモーションを認識し、認識されたモーションに対応する命令を判断することを含む。
【００３７】
判断された認識モードを行ってユーザーの命令を認識することは、判断された認識モードが音声モードであれば、ユーザーの音声を認識し、認識された音声に対応する命令を判断することを含む。
【００３８】
ディスプレイ装置の制御方法は、ユーザーの顔を認識し、認識されたユーザーがあらかじめ登録されたユーザーであるか否か判断し、認識されたユーザーがあらかじめ登録されたユーザーであれば、ユーザーの視線を認識することをさらに含む。
【００３９】
ディスプレイ装置の制御方法は、認識された視線があらかじめ設定された終了領域に位置するか否か判断し、認識された視線があらかじめ設定された終了領域に位置すると、インタラクションモードを終了させることをさらに含む。
【００４０】
ディスプレイ装置の制御方法は、あらかじめ設定された領域に視線が位置する状態でモーションが認識されると、認識されたモーションに対応する命令を確認し、確認された命令に対応する機能の実行を制御することをさらに含む。
【００４１】
ディスプレイ装置の制御方法は、あらかじめ設定された領域に視線が位置する状態で音声が認識されると、認識された音声に対応する命令を確認し、確認された命令に対応する機能の実行を制御する。
【００４２】
ディスプレイ装置の制御方法は、外部のリモコンから伝送された音声信号を受信し、受信した音声信号から命令を認識することをさらに含む。
【００４３】
ディスプレイ装置の制御方法は、ユーザーの視線が表示部の領域外部に一定時間以上位置すると、インタラクションモードを終了させることをさらに含む。
【００４４】
ディスプレイ装置の制御方法は、認識された視線の位置をカーソルで表示することをさらに含む。
【００４５】
ディスプレイ装置の制御方法は、認識された視線の位置があらかじめ設定された認識領域の内部と外部を交互に移動すると、インタラクションモードを終了させることをさらに含む。
【発明の効果】
【００４６】
一側面によれば、ユーザーの視線を追跡してインタラクションモードの進入を行うことによって、インタラクションモードの進入を容易に行うことができ、より直観的にインタラクションを行うことができる。
【００４７】
また、顔認識、音声認識及び視線認識を組み合わせてマルチモーダル（Ｍｕｌｔｉ−Ｍｏｄａｌ）インタラクションモードを行うことによって、より拡張されたインタラクションモードを行うことができ、ユーザーの意図した命令を正確に判断でき、これにより正確な機能を実行でき、ユーザーの便宜性を向上させることができる。
【００４８】
また、ディスプレイ装置に視線の位置をカーソルで表示することによって、ユーザー視線の位置を正確に把握することができる。
【００４９】
また、ユーザーの顔又は瞳孔からユーザーを認識し、認識されたユーザーの特徴を考慮して視線、音声、モーションを認識することによって、認識率を向上させることができる。
【図面の簡単な説明】
【００５０】
【図１】一実施例に係るディスプレイ装置の例示図である。
【図２Ａ】一実施例に係るディスプレイ装置における表示例を示す図である。
【図２Ｂ】一実施例に係るディスプレイ装置における表示例を示す図である。
【図２Ｃ】一実施例に係るディスプレイ装置における表示例を示す図である。
【図３Ａ】一実施例に係るディスプレイ装置における表示例を示す図である。
【図３Ｂ】一実施例に係るディスプレイ装置における表示例を示す図である。
【図４】一実施例に係るディスプレイ装置における表示例を示す図である。
【図５】一実施例に係るディスプレイ装置の制御構成図である。
【図６】一実施例に係るディスプレイ装置の認識部の詳細構成図である。
【図７】一実施例に係るディスプレイ装置に表示されたポップアップメニューの例示図である。
【図８Ａ】一実施例に係るディスプレイ装置の制御フローチャートである。
【図８Ｂ】一実施例に係るディスプレイ装置の制御フローチャートである。
【図９】他の実施例に係るディスプレイ装置の制御構成図である。
【図１０】他の実施例に係るディスプレイ装置の制御フローチャートである。
【図１１】他の実施例に係るディスプレイ装置における表示例を示す図である。
【図１２】さらに他の実施例に係るディスプレイ装置の例示図である。
【図１３】さらに他の実施例に係るディスプレイ装置の制御構成図である。
【図１４】さらに他の実施例に係るディスプレイ装置の制御フローチャートである。
【図１５】さらに他の実施例に係るディスプレイ装置における表示例を示す図である。
【図１６】さらに他の実施例に係るディスプレイ装置における表示例を示す図である。
【発明を実施するための形態】
【００５１】
以下、添付の図面を参照しつつ本開示の実施例について詳細に説明する。
【００５２】
図１は、一実施例に係るディスプレイ装置の例示図であり、該ディスプレイ装置の構成を、図２乃至図４を参照して説明する。
【００５３】
ディスプレイ装置は、テレビ、モニター及び移動通信端末機の表示装置などのように映像を表示する装置である。図１に示すように、ディスプレイ装置１は、映像をディスプレイする本体１００と、ユーザーの映像情報及び音声情報を収集するための収集モジュール２００と、を備えている。これについてより具体的に説明する。
【００５４】
本体１００は、映像を表示する表示部１１０と、映像が非表示される領域をカバーするベゼル１２０と、を備えている。
【００５５】
表示部１１０は、ユーザーにより要請されたメイン映像を表示する表示領域１１０ａと、インタラクションモード進入を可能にする認識領域１１０ｂと、インタラクションモード終了を可能にする終了領域１１０ｃと、を備えている。
【００５６】
すなわち、認識領域１１０ｂは、インタラクションモードに進入しようとする時、ユーザーが視線を置くべき領域であり、終了領域１１０ｃは、インタラクションモードを終了しようとする時、ユーザーが視線を置くべき領域である。
【００５７】
表示部１１０は、ユーザーが識別できるように、認識領域１１０ｂ及び終了領域１１０ｃを表示領域１１０ａと区別付く表示情報で表示する。
【００５８】
例えば、図２Ａ及び図２Ｂに示すように、表示領域１１０ａに認識領域１１０ｂ及び終了領域１１０ｃを、半透明の色で埋められた図形又は半透明の色で引いた輪郭線で表示してもよく、図２Ｃに示すように、半透明のアイコンで表示してもよい。
【００５９】
このとき、表示部１１０は、認識領域１１０ｂ及び終了領域１１０ｃを第１表示領域１１０ａにオーバーラップして表示する。
【００６０】
また、表示領域１１０ａに表示されるメイン映像をユーザが見ることに差し支えのない大きさの不透明なシンボル（図形、輪郭線、アイコンなど）で認識領域１１０ｂ及び終了領域１１０ｃを表示してもよい。
【００６１】
表示部１１０は、認識領域１１０ｂ及び終了領域１１０ｃを一定の時間間隔で周期的に表示してもよく、駆動初期に認識領域１１０ｂ及び終了領域１１０ｃの位置及びインタラクションモードの利用に関する案内文を表示してもよい。
【００６２】
また、表示部１１０は、インタラクションモードの進入前後を異なるように表示する。すなわち、表示部１１０は、認識領域１１０ｂについてインタラクションモードの進入前と進入後を異なる表示情報で表示する。
【００６３】
例えば、図３Ａに示すように、インタラクションモード進入前では認識領域１１０ｂを空の図形のみで表示し、インタラクションモードに進入すれば認識領域１１０ｂの空の図形中にアイコンを表示してもよく、又は、図３Ｂに示すように、インタラクションモード進入前では認識領域１１０ｂを第１色の図形で表示し、インタラクションモードに進入すれば認識領域１１０ｂを第２色の図形で表示してもよい。
【００６４】
また、表示部１１０は、認識領域１１０ｂのみを表示し、終了領域１１０ｃは表示しない状態に維持し、以降、インタラクションモードに進入すると終了領域１１０ｃを表示状態に切り替えてもよい。
【００６５】
表示部１１０は、インタラクションモード進入後にインタラクションモードが進行中であることをユーザーに知らせるために、インタラクションモード進入による表示情報を維持する。
【００６６】
例えば、認識領域１１０ｂの図形中のアイコン表示を維持したり、認識領域の図形を第２色に維持したりする。
【００６７】
表示部１１０は、インタラクションモードに進入すると、ディスプレイ装置の動作及び機能制御時に用いられる複数の認識モードを表示する。
【００６８】
図４に示すように、ユーザーとディスプレイ装置間のインタラクションのための認識モードを表示する。一例として、表示部１１０は表示領域１１０ａに、モーション認識ボタンａ１、音声認識ボタンａ２及び視線認識ボタンａ３を表示する。この時、表示部１１０はユーザーの視線をカーソルａ４で表示する。
【００６９】
また、表示部１１０は、ユーザーにより要請されたコンテンツの映像を表示し、且つ、ユーザーにより画面調整情報が変更された場合には、変更された画面調整情報に基づいて映像を表示する。
【００７０】
このような表示部１１０は、ディスプレイパネル１１１、拡散板１１２、導光板１１３、バックライトユニット１１４、シャシー１１５を備えている。
【００７１】
ディスプレイパネル１１１は、文字、数字、任意のアイコンなどの映像を表示するパネルである。
【００７２】
表示部１１０は、ディスプレイパネル１１１を外部の衝撃から保護するためのガラス（図示せず）及びフィルター（図示せず）をさらに備えている。ここで、ガラスは、外部衝撃からフィルターが破損することを防止する。
【００７３】
フィルターは、光特性膜、電磁波（Ｅｌｅｃｔｒｏ  Ｍａｇｎｅｔｉｃ  Ｉｎｔｅｒｆｅｒｅｎｃｅ：ＥＭＩ)遮蔽膜及び紫外線遮蔽膜などを備える。
【００７４】
光特性膜は、ディスプレイパネルに入射する光のうち、赤色（Ｒ）及び緑色（Ｇ）の輝度を下げる一方で青色（Ｂ）の輝度を上げることで光特性を改善させ、電磁波遮蔽膜は、電磁波を遮蔽することでディスプレイパネルに入射する電磁波が外部に放出されることを防止する。
【００７５】
また、赤外線遮蔽膜は、ディスプレイパネルから放射される赤外線を遮蔽することで、リモコンなどが赤外線を用いて信号を正常に伝達できるよう、基準以上の赤外線が外部に放出されることを防止する。
【００７６】
拡散板１１２は、バックライトユニット１１４から発される光を面に沿って拡散させることで、画面全体として色及び明るさが均一に見えるようにする半透明パネルで、バックライトユニット１１４から発された光の輝度などを向上させてディスプレイパネルに供給する。すなわち、拡散板１１２は、バックライトユニット１１４の発光ダイオード（ＬＥＤ）の光を増大させ、全体面の明るさを均一に維持させる。
【００７７】
導光板１１３は、バックライトユニット１１４の光源をディスプレイパネル全体に均一に入射させ、バックライトユニット１１４は、ディスプレイパネル１１１の背面又は側面から光を放出する。
【００７８】
すなわち、ディスプレイパネル１１１は自ら発光しないため、バックライトユニットから放出された光の透過量及び色を調節することによって映像を表示する。
【００７９】
シャシー１１５は、映像表示及びサウンド出力に必要な駆動モジュール１３０が接続されるパネルである。
【００８０】
駆動モジュール１３０の例には、映像表示及びサウンド出力を制御するための各種印刷回路基板、外部機器との接続のためのインターフェース装置、各装置に動作電源を供給する電源装置などがある。
【００８１】
シャシー１１５は放熱及び強度に優れた金属で作られる。
【００８２】
ベゼル１２０は、表示部１１０の映像非表示面をカバーし、表示部１１０の外観を形成する。
【００８３】
ベゼル１２０にはさらに、複数のボタンを有する入力部（図示せず）が配置されていてもよい。すなわち、ディスプレイ装置１は、この入力部から動作命令が入力されてもよい。
【００８４】
本体１００は、表示部１１０の非表示面を保護するためのカバー１２１と、表示部１１０のディスプレイパネル、拡散板、導光板、バックライトユニット、シャシーなどを離隔させた状態で支持する支持部材（図示せず）をさらに備える。ここで、支持部材及びカバー１２１はベゼル１２０と分離可能に結合される。
【００８５】
カバー１２１はベゼル１２０との結合時に収容空間を形成し、この収容空間内にはディスプレイパネル、拡散板、導光板、バックライトユニット及びシャシーなどが配置される。
【００８６】
収集モジュール２００は、本体１００のベゼル１２０の上端に配置されており、ユーザー及びその周辺の映像及びサウンドを収集し、収集された映像及びサウンドを駆動モジュール１３０に伝送する。
【００８７】
収集モジュール２００は、本体１００のベゼル１２０の上端の他、ユーザーの情報を収集し易い如何なる位置に装着されてもよい。
【００８８】
また、収集モジュール２００はディスプレイ装置と個別に備えられてもよい。すなわち、収集モジュール２００は本体１００から分離可能に設けられ、本体１００に設けられたインターフェース装置（図示せず）に連結されることで本体１００に接続してもよい。
【００８９】
収集モジュール２００についてより詳しく説明する。
【００９０】
収集モジュール（ＭＯＩＰ：Ｍｕｌｔｉｍｅｄｉａ  Ｏｖｅｒ  Ｉｎｔｅｒｎｅｔ  Ｐｒｏｔｏｃｏｌ）２００は、ハウジング２１０と、ハウジング２１０に装着された映像収集部２２０であるカメラと、ハウジング２１０に装着されたサウンド収集部２３０である第１マイクロフォンと、カメラ及び第１マイクロフォンの駆動を制御し、カメラ及び第１マイクロフォンで収集された映像信号及びサウンド信号を駆動モジュール１３０に伝達する第１マイコン（図示せず）と、備えている。
【００９１】
ここで、第１マイクロフォンは、複数個のマイクロフォン２３０ａ，２３０ｂで構成されている。
【００９２】
映像収集部２２０であるカメラは、ユーザー及びその周辺の映像を収集し、収集された映像のデータを第１マイコンに伝送する。
【００９３】
サウンド収集部２３０ａ，２３０ｂである第１マイクロフォンは、ユーザーの音声を含む周辺のサウンドを収集し、収集されたサウンドのデータを第１マイコンに伝送する。
【００９４】
第１マイコンは、受信した映像データ及びサウンドデータを駆動モジュール１３０に伝送する。さらに、第１マイコンは、受信した映像データ及びサウンドデータがメモリー（図示せず）に保存されるようにしてもよい。
【００９５】
収集モジュール２００は、イーサネット（登録商標）のような通信部（図示せず）をさらに備えてもよい。このとき、収集モジュール（ＭＯＩＰ）の第１マイコンは、映像信号及びサウンド信号を圧縮し、圧縮されたデータをイーサネット（登録商標）を介して駆動モジュール１３０に伝送する。
【００９６】
なお、収集モジュールのカメラ２２０及び第１マイクロフォン２３０は駆動モジュール１３０に直接接続しており、映像信号及びサウンド信号を駆動モジュールに直接伝送してもよい。
【００９７】
図５は一実施例に係るディスプレイ装置の制御構成図であり、このディスプレイ装置の構成を、図６乃至図７を参照して説明する。
【００９８】
一実施例に係るディスプレイ装置１は、ユーザーの意図により生成されたインタラクション信号及び入力部（図示せず）の信号のうち少なくとも一方に基づいて動作する。
【００９９】
このディスプレイ装置１は、ユーザーの意図した命令を収集する収集モジュールとして映像収集部２２０及びサウンド収集部２３０を備え、動作命令に基づいて動作を制御するための駆動モジュール１３０を備え、動作実行を出力するための出力モジュールとして表示部１１０及びサウンド出力部１４０を備える。
【０１００】
映像収集部２２０は、駆動モジュール１３０と電気的に接続しており、駆動モジュール１３０の命令に応じてユーザーの映像を収集し、収集された映像に関する信号を駆動モジュール１３０に伝送する。サウンド収集部２３０は、駆動モジュール１３０と電気的に接続しており、駆動モジュール１３０の命令に応じてユーザーの音声を収集し、収集された音声に関する信号を駆動モジュール１３０に伝送する。
【０１０１】
駆動モジュール１３０は、入力部（図示せず）からの信号に基づいて表示部１１０及びサウンド出力部１４０の少なくとも一方の動作を制御する。
【０１０２】
また、駆動モジュール１３０は、映像収集部２２０及びサウンド収集部２３０の少なくとも一方で収集された情報に基づいてインタラクションモードの進入及び終了を制御し、インタラクションモード進入後にインタラクションモードを行って表示部１１０及びサウンド出力部１４０の少なくとも一方の動作を制御する。
【０１０３】
このような駆動モジュール１３０は、認識部１３１、データベース部１３２、ネットワークインターフェース部１３３、制御部１３４、保存部１３５、表示駆動部１３６及びサウンド駆動部１３７を備えている。
【０１０４】
認識部１３１は、映像収集部２２０及びサウンド収集部２３０の少なくとも一方の収集部で収集された情報の信号を受信し、受信した信号に基づいて、ユーザー認識及びユーザーの意図した動作命令を認識し、認識された動作命令を制御部１３４に伝送する。これを図６を参照して説明する。
【０１０５】
図６は、一実施例に係るディスプレイ装置に設けられた認識部の詳細構成図であり、認識部１３１は、インタラクションモードへの進入命令を認識するための第１認識部１３１−１と、機能実行及び動作命令を認識するための第２認識部１３１−２と、を備えている。
【０１０６】
第１認識部１３１−１は、顔認識部１３１ａ及び視線認識部１３１ｂを備えている。
【０１０７】
顔認識部１３１ａは、映像収集部２２０から伝送されてきた映像から背景領域を除去してユーザーの顔映像を獲得し、獲得されたユーザーの顔映像からエッジ、色情報を用いて顔領域を抽出し、この顔領域から目、鼻、口などの特徴点を抽出することによって顔を認識し、認識された顔とあらかじめ登録された顔映像とを比較し、認識された顔があらかじめ登録されたユーザーの顔であるか否か判断する。
【０１０８】
なお、認識部１３１は、顔認識時に顔映像をフィルタリングしてノイズを除去し、顔映像の特徴を分析するのに必要な前処理を行う。
【０１０９】
視線認識部１３１ｂは、ユーザーの顔映像から目映像を検出し、検出された目映像から瞳孔の位置を獲得してユーザーの視線の位置を認識する。
【０１１０】
第２認識部１３１−２は、モーション認識部１３１ｃ及び音声認識部１３１ｄを備えている。
【０１１１】
モーション認識部１３１ｃは、映像収集部２２０から伝送されてきた映像から背景領域を除去してユーザーの身体映像を獲得し、獲得されたユーザーの身体映像からエッジ、色情報を用いてユーザーの顔、腕、手、胴、脚及び足の領域を抽出し、抽出された顔、腕、手、胴、脚、足などから特徴点を抽出してユーザーの取ったモーションを認識し、該認識されたモーションとマッチするモーションを、データベース部１３２に保存されたモーションから検索し、検索されたモーションに対応する動作命令を認識する。
【０１１２】
音声認識部１３１ｄは、サウンド収集部２３０から伝送されてきたサウンドからノイズを除去してユーザーの発声した音声を獲得し、ユーザーの発声した音声から特徴ベクトルを抽出し、抽出された特徴ベクトルとデータベース部１３２に保存された各単語の言語モデル又は音素単位の音響モデルとを比較することで候補単語又は候補音素を抽出し、候補単語又は候補音素に基づいて文章を認識し、該認識された文章とマッチする文章を、データベース部１３２に保存された文章から検索し、検索された文章に対応する動作命令を認識する。
【０１１３】
なお、音声認識部１３１ｄは候補単語又は候補音素から動作命令を認識してもよい。
【０１１４】
また、音声認識部１３１ｄは、音声の特徴的情報を用いてユーザーを認識してもよい。
【０１１５】
データベース部１３２は、あらかじめ登録されたユーザーの顔映像、顔映像の特徴点情報及び瞳孔情報を保存し、モーション別動作命令及び音声別動作命令を保存する。ここで、瞳孔情報としては、瞳孔の大きさ、瞳孔の位置及び瞳孔間の距離情報を含み、このような瞳孔情報に基づいてユーザーが認識されてもよい。
【０１１６】
なお、データベース部１３２は、ユーザーが複数である場合に、ユーザー別にモーションに対応する動作命令をそれぞれ保存し、且つユーザー別に音声に対応する動作命令をそれぞれ保存してもよい。
【０１１７】
ネットワークインターフェース部１３３は、ＩＰアドレスの割り当てを受けてネットワーク通信を行い、ネットワークを介して外部からデータパケットを受信して処理し、データパケットが映像、サウンドなどのマルチメディアデータである場合には保存や再生され得るように制御部に伝送する。
【０１１８】
例えば、ネットワークインターフェース部１３３は放送、ゲーム、ＶＯＤ、放送信号などのコンテンツ及びその関連情報を受信する。また、ネットワークインターフェース部１３３はファームウェアのアップデート情報及びアップデートファイルを受信することもある。
【０１１９】
なお、ディスプレイ装置は、入力インターフェース部をさらに備えてもよい。このとき、入力インターフェース部は、ＵＳＢのような外部記憶装置やＤＶＤ、ＣＤのような光ディスク装置と接続してマルチメディアデータを受信し、受信したマルチメディアデータを制御部に伝送すればよい。
【０１２０】
制御部１３４は、ディスプレイ装置１に電源が印加されたり、入力部（図示せず）のボタン入力によりインタラクションモードが要請されたりする場合に、映像収集部２２０及びサウンド収集部２３０に動作命令を伝送する。
【０１２１】
制御部１３４は、認識部１３１で認識されたユーザーの登録有無によってインタラクションモードに進入するか否かを決定し、認識部１３１で認識されたユーザーが複数であれば、複数のユーザーの中から、優先順位の最も高いユーザーを確認し、確認されたユーザーの視線の位置に基づいてインタラクションモードの進入を制御する。
【０１２２】
また、制御部１３４は、ユーザーが複数である場合に、認識領域に位置する視線が存在するか否か判断し、認識領域に位置する視線が存在すると、認識領域を注視しているユーザーの視線に基づいてインタラクションモードの進入を制御してもよい。
【０１２３】
制御部１３４は、認識部１３１から伝送された視線の位置に基づいてユーザーの注視している位置を判断する。この時、制御部１３４は、ユーザーの視線が認識領域に一定時間以上位置するか否か判断し、ユーザーの視線が認識領域に一定時間以上位置するとインタラクションモードに進入するように制御する。
【０１２４】
制御部１３４は、インタラクションモードに進入すると、表示部１１０の認識領域の表示情報をインタラクションモード進入前とは異なる表示情報に変更するように制御する。
【０１２５】
制御部１３４は、インタラクションモードに進入すると、インタラクションにより動作命令を入力してもらうための複数の認識モードが表示されるように制御し、この時、認識部１３１から伝送された視線の位置とあらかじめ保存された複数の認識モードボタンの位置とをそれぞれ比較することで、ユーザーの選択しようとする認識モードを判断し、判断された認識モードに基づいて映像収集部２２０及びサウンド収集部２３０の動作がオン／オフになるように制御する。
【０１２６】
例えば、制御部１３４は、複数の認識モードのうち音声認識モードが選択された場合に、サウンド収集部２３０の動作をオンにさせ、映像収集部２２０の動作はオフにさせる。複数の認識モードのうち、視線認識モードやモーション認識モードが選択された場合には、サウンド収集部２３０の動作をオフにさせ、映像収集部２２０の動作はオンにさせる。
【０１２７】
ここで、動作命令としては、表示やサウンドなどの出力情報の変更及び機能の変更などを含む。
【０１２８】
制御部１３４は、認識部１３１から伝送された動作命令に基づいて各駆動部１３６，１３７の駆動を制御する。
【０１２９】
制御部１３４は、終了領域に視線が一定時間以上位置するとインタラクションモードを終了させる。
【０１３０】
制御部１３４は、終了領域に視線が一定時間以上位置すると、ポップアップメニューが表示されるように制御してもよい。図７に示すように、ポップアップメニューＰ１は、優先順位変更ボタン、ボリューム調整ボタン、画面調整ボタン及び終了ボタンなどを有する。
【０１３１】
なお、制御部１３４は、認識モード実行中に認識領域を注視すると、それをユーザーの認識モード変更要求と判断し、複数の認識モードボタンが再表示されるように制御してもよい。
【０１３２】
制御部１３４は、ユーザーにより要請されたメイン映像信号の表示及びサウンド信号の出力がなされるように制御し、映像及びサウンドの出力中にインタラクションモードに対応する映像がメイン映像にオーバーラップして表示されるように制御する。
【０１３３】
保存部１３５は、あらかじめ登録された複数のユーザーの優先順位を保存し、認識領域と終了領域の位置を保存し、インタラクションモード進入前、インタラクションモード進入、インタラクションモード実行にそれぞれ対応する認識領域の表示情報を保存し、複数の認識モードボタンの位置情報を保存する。
【０１３４】
表示駆動部１３６は、制御部１３４の命令に基づいて表示部１１０を駆動させ、サウンド駆動部１３７は、制御部１３４の命令に基づいてサウンド出力部１４０を駆動させる。
【０１３５】
出力モジュールである表示部１１０は、駆動モジュール１３０内の制御部１３４の命令に基づいて表示領域に映像を表示し、インタラクションモード実行に対応する映像を表示する。
【０１３６】
出力モジュールであるサウンド出力部１４０は、駆動モジュール１３０内の制御部１３４の命令に基づいてサウンドを出力する。ここで、サウンド出力部１４０はディスプレイ装置１から分離可能にしてもよい。
【０１３７】
すなわち、サウンド出力部１４０はスピーカーなどであり、ディスプレイ装置１とは個別に設けられ、ユーザーの選択によってディスプレイ装置１に接続されるものであってもよい。
【０１３８】
図８Ａ及び図８Ｂは、一実施例に係るディスプレイ装置の制御フローチャートであり、このディスプレイ装置の制御を、図１乃至図７を参照して説明する。
【０１３９】
ディスプレイ装置は、ユーザーにより電源が印加されると、映像収集部２２０を動作させて映像を収集する(３０１)。
【０１４０】
続いて、ディスプレイ装置は、収集された映像から背景領域を除去してユーザーの映像を獲得し、獲得された映像からエッジ情報及び色情報を用いて顔領域を抽出し、この顔領域から目、鼻、口などの特徴点を抽出して顔を認識する（３０２）。
【０１４１】
続いて、ディスプレイ装置は、認識された顔の数に基づいて、認識されたユーザーの数を確認し（３０３）、確認されたユーザーの数が複数であるか否か判断する（３０４）。
【０１４２】
この時、確認されたユーザーの数が単数であれば、認識された顔とあらかじめ登録されたユーザーの顔映像とを比較し、認識された顔のユーザーがあらかじめ登録されたユーザーであるか否か判断し（３０５）、認識された顔のユーザーがあらかじめ登録されたユーザーでないと、インタラクションモードの実行が不可能であることを表示部１１０を用いて表示し（３０６）、認識された顔のユーザーがあらかじめ登録されたユーザーであると、認識された顔の瞳孔を認識して視線を追跡する（３１０）。
【０１４３】
一方、ディスプレイ装置は、認識されたユーザーの数が複数であれば、認識された複数の顔とあらかじめ登録されたユーザーの顔映像をそれぞれ比較し、認識された複数のユーザーの中からあらかじめ登録されたユーザーを確認し、あらかじめ登録されたユーザーとして判断されたユーザーの数を確認し（３０７）、確認された数が複数であるか否か判断する（３０８）。
【０１４４】
ディスプレイ装置は、あらかじめ登録されたユーザーとして複数のユーザーが認識されたと判断されると、認識された複数のユーザーの中から、優先順位の最も高いユーザーを判断し（３０９）、判断されたユーザーの瞳孔を認識して視線を追跡する（３１０）。
【０１４５】
次に、ディスプレイ装置は、認識された視線が認識領域に位置するか否か判断し（３１１）、認識された視線が認識領域に位置していると判断されると、認識された視線が認識領域をあらかじめ設定された一定時間以上注視しているか否か判断する。
【０１４６】
続いて、ディスプレイ装置は、認識された視線が認識領域をあらかじめ設定された一定時間以上注視していると判断されると、インタラクションモードに進入し（３１２）、インタラクションモードに進入することをユーザーが認識できるように、表示部１１０内の認識領域の表示情報を変更して表示する（３１３）。
【０１４７】
例えば、図３に示すように、認識領域１１０ｂ内にアイコンを表示したり、認識領域１１０ｂの色を変更したりする。
【０１４８】
次に、ディスプレイ装置は、動作命令を入力してもらうための複数の認識モードを表示し、ユーザーの視線の位置を確認した後（３１４）、確認された視線の位置に基づいて、ユーザーにより選択された認識モードを判断する（３１５）。
【０１４９】
すなわち、ディスプレイ装置は、複数の認識モードボタンの位置の中から、確認された視線の位置とマッチする位置を判断することによって、ユーザーにより選択された認識モードを判断する。
【０１５０】
この時、ディスプレイ装置は、ユーザーが視線の位置を確認できるように、表示部にユーザーの視線の位置をカーソルで実時間表示する。
【０１５１】
次に、ディスプレイ装置は、判断された認識モードを実行し（３１６）、認識モード実行による認識結果に基づいて動作命令を認識し、認識された動作命令に基づいて各駆動部を動作させる（３１７）。
【０１５２】
各認識モードの選択によって動作命令を認識する構成についてより具体的に説明すると、下記の通りである。
【０１５３】
（１）ディスプレイ装置は、ユーザーによりモーション認識が選択された場合に、映像収集部の動作を維持させ、映像収集部で収集された映像から背景領域を除去してユーザーの身体映像を獲得し、獲得されたユーザーの身体映像からエッジ、色情報を用いてユーザーの顔、腕、手、胴、脚及び足の領域を抽出し、抽出された顔、腕、手、胴、脚、足などから特徴点を抽出することで、ユーザーの取ったモーションを認識し、該認識されたモーションとマッチするモーションをデータベース部１３２に保存されたモーションから検索し、検索されたモーションに対応する動作命令を認識する。
【０１５４】
次に、ディスプレイ装置は、認識された動作命令に基づいて各駆動部１３６，１３７を駆動させることによって、ユーザーの要求したコンテンツの映像が表示部１１０に表示されるようにし、且つユーザーの要求したコンテンツのサウンドがサウンド出力部１４０から出力されるようにする。
【０１５５】
（２）ディスプレイ装置は、ユーザーにより音声認識が選択された場合に、サウンド収集部を動作させ、サウンド収集部２３０で収集されたサウンドからノイズを除去してユーザーの発声した音声を獲得し、ユーザーの発声した音声から特徴ベクトルを抽出し、抽出された特徴ベクトルとデータベース部１３２に保存された各単語の言語モデル又は音素単位の音響モデルとを比較することで候補単語又は候補音素を抽出し、候補単語又は候補音素に基づいて文章を認識し、該認識された文章とマッチする文章を、データベース部１３２に保存された文章から検索し、検索された文章に対応する動作命令を認識する。
【０１５６】
次に、ディスプレイ装置は、認識された動作命令に基づいて各駆動部１３６，１３７を駆動させることによって、ユーザーの要求したコンテンツの映像が表示部１１０に表示されるようにし、且つユーザーの要求したコンテンツのサウンドがサウンド出力部１４０から出力されるようにする。
【０１５７】
（３）ディスプレイ装置は、ユーザーにより視線認識が選択された場合に、映像収集部の動作を維持させ、表示部１１０にポップアップメニューを表示し、映像収集部２２０で収集された映像を用いてユーザーの顔及び瞳孔を認識し、認識された瞳孔に基づいて視線を追跡し、追跡された視線の位置を確認することによって、ポップアップメニューのうちユーザーにより選択されたメニューに対応する動作を行う。
【０１５８】
ここで、ポップアップメニューは複数のメニューを有し、各メニューは動作命令ボタンを有する。
【０１５９】
すなわち、ディスプレイ装置は、ポップアップメニューにおける複数の動作命令ボタンの位置の中から、ユーザーの視線の位置とマッチする位置のボタンを確認し、確認されたボタンに対応する動作を行う。
【０１６０】
例えば、図７に示すように、優先順位変更ボタン、ボリューム調整ボタン、画面調整ボタン及び終了ボタンを有しているポップアップメニューＰ１が表示された場合に、視線の位置がボリューム調整ボタンであれば、表示部１１０にボリューム調整のためのアップ／ダウンボタンを表示する。この時、ユーザーの視線がボリュームアップボタン上に位置するとボリュームをアップさせ、ボリュームダウンボタン上に位置するとボリュームをダウンさせる。
【０１６１】
なお、視線認識を用いたメニューの選択は、目の瞬き、視線がボタンに位置する時間、又はその他ユーザーの目による動きに基づいて判断すればよい。
【０１６２】
ディスプレイ装置は、ネットワークインターフェース部１３３又は入力インターフェース部を介して受信したコンテンツなどを表示部に表示させる。この時、ディスプレイ装置は、ユーザーにより要請されたメイン映像信号の表示及びサウンド信号の出力がなされるように制御し、且つ映像及びサウンド出力中に、インタラクションモードによる映像がメイン映像にオーバーラップして表示されるように制御する。
【０１６３】
次に、ディスプレイ装置は、表示部１１０の終了領域に視線が一定時間以上位置するとインタラクションモードを終了し、以降、ユーザーの視線が認識領域に再び位置すると、ユーザーが認識モード変更を要求するものと判断し、複数の認識モードボタンを再表示する。
【０１６４】
また、ディスプレイ装置は、表示部１１０の外部に視線が一定時間以上位置するとインタラクションモードを終了させてもよい。
【０１６５】
図９は、他の実施例に係るディスプレイ装置の構成図であり、この実施例において、ディスプレイ装置１は、ユーザーの命令を入力してもらうための収集モジュールとして映像収集部２２０及びサウンド収集部２３０を備え、動作命令に基づいて動作を制御するための駆動モジュール１５０を備え、動作実行を出力するための出力モジュールとして表示部１１０及びサウンド出力部１４０を備えている。
【０１６６】
ここで、映像収集部２２０、サウンド収集部２３０、表示部１１０及びサウンド出力部１４０は、上記の一実施例におけると同一であり、その説明を省略する。
【０１６７】
駆動モジュール１５０は、認識部１５１、データベース部１５２、ネットワークインターフェース部１５３、制御部１５４、保存部１５５、表示駆動部１５６及びサウンド駆動部１５７を備えている。
【０１６８】
認識部１５１は、映像収集部２２０及びサウンド収集部２３０の少なくとも一方で収集された情報の信号を受信し、受信した信号に基づいてユーザー認識及びユーザーの意図した動作命令を認識し、認識された動作命令を制御部１５４に伝送する。
【０１６９】
認識部１５１は、モーションを取ったユーザーと認識領域を注視しているユーザーとが同一のユーザーであるか判断し、同一のユーザーと判断されると、視線が認識領域に位置する状態で認識されたモーションに対応する動作命令を認識する。
【０１７０】
また、認識部１５１は、音声を発声したユーザーと認識領域を注視しているユーザーとが同一のユーザーであるか判断し、同一のユーザーと判断されると、視線が認識領域に位置する状態で認識された音声に対応する動作命令を認識する。
【０１７１】
このような認識部１５１は、ユーザーの顔及び視線を認識するための第１認識部と、機能実行及びユーザーの動作命令を認識するための第２認識部と、を備え、第１認識部及び第２認識部は、一実施例の第１認識部１３１−１及び第２認識部１３１−２と同一であり、その説明を省略する。
【０１７２】
データベース部１５２は、ユーザーの顔映像と瞳孔情報とをマッチングさせて保存し、且つユーザーの音声情報と瞳孔情報とをマッチングさせて保存する。
【０１７３】
その他のデータベース部１５２の構成及びネットワークインターフェース部１５３の構成は、上記の一実施例におけるデータベース部１３２及びネットワークインターフェース部１３３と同一であり、その説明を省略する。
【０１７４】
制御部１５４は、ディスプレイ装置１に電源が印加されたり、入力部（図示せず）のボタン入力によりインタラクションモードが要請されたりする場合に、映像収集部２２０及びサウンド収集部２３０に動作命令を伝送する。
【０１７５】
制御部１５４は、認識部１５１で認識されたユーザーの登録有無によってインタラクションモードに進入するか否かを決定し、認識部１５１で認識されたユーザーが複数であれば、複数のユーザーの中から、優先順位の最も高いユーザーを確認し、確認されたユーザーの視線の位置に基づいてインタラクションモードの進入を制御する。
【０１７６】
制御部１５４は、ユーザーの視線が認識領域に一定時間以上位置するか否か判断し、ユーザーの視線が認識領域に一定時間以上位置すると、インタラクションモードに進入するように制御する。
【０１７７】
制御部１５４は、インタラクションモードに進入すると、ユーザーに命令を入力してもらうための複数の認識モードが表示されるように制御し、この時、認識部１５１で伝送された視線の位置とあらかじめ保存された複数の認識モードボタンの位置とをそれぞれ比較することでユーザーの選択しようとする認識モードを判断し、判断された認識モードに基づいて映像収集部２２０及びサウンド収集部２３０の動作をオン／オフになるように制御する。
【０１７８】
ここで、複数の認識モードは、モーション認識及び音声認識を含む。
【０１７９】
制御部１５４は、モーション認識が選択されると、視線認識及びモーション認識を組み合わせた第１マルチモーダルモード（Ｍｕｌｔｉ−Ｍｏｄａｌ  Ｍｏｄｅ）に対応する動作命令を受信し、音声認識が選択されると、視線認識及び音声認識を組み合わせた第２マルチモーダルモードに対応する動作命令を受信する。
【０１８０】
制御部１５４は動作命令に基づいて各駆動部１５６，１５７の駆動を制御する。
【０１８１】
制御部１５４は、終了領域に視線が一定時間以上位置するとインタラクションモードが終了するように制御する。
【０１８２】
制御部１５４は、ユーザーにより要請されたメイン映像信号の表示及びサウンド信号の出力がなされるように制御する。
【０１８３】
保存部１５５は、あらかじめ登録された複数ユーザーの優先順位を保存し、認識領域と終了領域の位置を保存し、インタラクションモード進入前、インタラクションモード進入、インタラクションモード実行にそれぞれ対応する認識領域の表示情報を保存し、複数の認識モードボタンの位置情報を保存する。
【０１８４】
表示駆動部１５６及びサウンド駆動部１５７は、上記の一実施例における表示駆動部及びサウンド駆動部と同一であり、その説明を省略する。
【０１８５】
図１０は、他の実施例に係るディスプレイ装置の制御フローチャートであり、このディスプレイ装置の制御を、図９及び図１１を参照して説明する。
【０１８６】
ディスプレイ装置は、ユーザーにより電源が印加されると、映像収集部２２０を動作させて映像を収集し、収集された映像に基づいて顔を認識し、認識された顔に基づいて、認識されたユーザーの数を確認する。
【０１８７】
次に、ディスプレイ装置は、確認されたユーザーの数が複数であるか否か判断し、認識された複数のユーザーの中から、あらかじめ登録されたユーザーを判断し、認識された複数のユーザーのうち、あらかじめ登録されたユーザーの数が複数であるか否か判断する。
【０１８８】
次に、ディスプレイ装置は、認識された複数のユーザーのうち、あらかじめ登録されたユーザーの数が複数であれば、認識された複数のユーザーの中から、優先順位の最も高いユーザーを判断し、判断されたユーザーの瞳孔を認識して視線を認識する。
【０１８９】
続いて、ディスプレイ装置は、認識された視線が認識領域に位置するか否か判断し、認識された視線が認識領域に位置していると判断されると、認識された視線が認識領域をあらかじめ設定された一定時間以上注視しているか否か判断し、この時、認識された視線が認識領域をあらかじめ設定された一定時間以上注視していると判断されると、インタラクションモードに進入し（４０１）、インタラクションモードに進入されることをユーザーが認識できるように、表示部１１０内の認識領域の表示情報を変更して表示する（４０２）。
【０１９０】
以上の過程は上記の一実施例におけると同一である。
【０１９１】
次に、ディスプレイ装置は、動作命令を入力してもらうための複数の認識モードを表示し、ユーザーの視線の位置を確認した後（４０３）、確認された視線の位置に基づいてユーザーにより選択された認識モードを判断する（４０４）。
【０１９２】
すなわち、ディスプレイ装置は、複数の認識モードボタンの位置の中から、確認された視線の位置とマッチする位置を判断することによって、ユーザーにより選択された認識モードを判断する。
【０１９３】
この時、ディスプレイ装置は、ユーザーが視線の位置を確認できるように、表示部１１０にユーザーの視線の位置をカーソルで実時間表示する。
【０１９４】
次に、ディスプレイ装置は、判断された認識モード及び視線認識モードを組み合わせたマルチモーダルモードを実行し（４０５）、マルチモーダルモード実行による認識結果に基づいて動作命令を認識し、認識された動作命令に基づいて各駆動部を動作させる（４０６）。
【０１９５】
この時、ディスプレイ装置は、モーション認識及び視線認識モードを組み合わせた第１マルチモーダルモードを行う前に、モーションを取るユーザーと認識領域を注視するユーザーとが同一人であるか否か判断し、同一人として判断されると、第１マルチモーダルモードに基づいてインタラクションモードを行い、同一人でないと判断されると、インタラクションモードの実行が不可能であることを表示するように構成されてもよい。
【０１９６】
また、ディスプレイ装置は、音声認識及び視線認識モードを組み合わせた第２マルチモーダルモードを行う前に、音声を発声したユーザーと認識領域を注視するユーザーとが同一人であるか否か判断し、同一人として判断されると、第２マルチモーダルモードに基づいてインタラクションモードを行い、同一人でないと判断されれると、インタラクションモードの実行が不可能であることを表示するように構成されてもよい。
【０１９７】
マルチモーダルモードによって動作命令を認識する構成をより具体的に説明すると、下記の通りである。
【０１９８】
（１）ディスプレイ装置は、ユーザーによりモーション認識が選択された場合に、モーション認識モード及び視線認識モードを組み合わせた第１マルチモーダルモードを行う。この時、映像収集部２２０の動作を維持させ、認識領域に視線が位置するか否か判断し、認識領域に視線が位置していると判断されると、認識領域に視線が位置している状態でユーザーの取ったモーションを認識し、認識されたモーションに対応する動作命令を認識する。
【０１９９】
すなわち、映像収集部２２０で収集された映像から背景領域を除去してユーザーの身体映像を獲得し、獲得されたユーザーの身体映像からエッジ、色情報を用いてユーザーの顔、腕、手、胴、脚及び足の領域を抽出し、抽出された顔、腕、手、胴、脚、足などから特徴点を抽出してユーザーの取ったモーションを認識し、認識されたモーションとマッチするモーションを、データベース部１５２に保存されたモーションから検索し、検索されたモーションに対応する動作命令を認識する。
【０２００】
次に、ディスプレイ装置は、認識された動作命令に基づいて各駆動部１５６，１５７を駆動させることによって、ユーザーの要求したコンテンツの映像をが表示部１１０に表示されるようにし、且つユーザーの要求したコンテンツのサウンドがサウンド出力部１４０から出力されるようにする。
【０２０１】
その例を、図１１を参照して説明する。
【０２０２】
図１１に示すように、ディスプレイ装置は、表示部の表示領域１１０ａに複数の機能を表示した状態で第１マルチモーダルモードが実行中であれば、映像収集部を用いてユーザーの視線及びモーションを認識する。
【０２０３】
ユーザーが認識領域１１０ｂを注視し、同時に一本の指を伸ばしたモーションを取ったとすれば、ディスプレイ装置は、認識領域に位置する視線を認識すると同時に、一本の指を伸ばしたモーションを認識し、一本の指を伸ばしたモーションに対応する動作命令を認識する。
【０２０４】
このとき、一本の指を伸ばしたモーションに対応する動作命令が「検索」であれば、ネットワークインターフェース部を介してインターネットに接続し、検索を可能にする。
【０２０５】
（２）ディスプレイ装置は、ユーザーにより音声認識が選択された場合に、音声認識モード及び視線認識モードを組み合わせた第２マルチモーダルモードを行う。この時、サウンド収集部２３０を動作させ、認識領域に視線が位置するか否かを判断し、認識領域に視線が位置していると判断されると、認識領域に視線が位置している状態でユーザーの発声した音声を認識し、認識された音声に対応する動作命令を認識する。
【０２０６】
すなわち、サウンド収集部２３０を動作させ、サウンド収集部２３０で収集されたサウンドからノイズを除去してユーザーの発声した音声を獲得し、ユーザーの発声した音声から特徴ベクトルを抽出し、抽出された特徴ベクトルとデータベース部１５２に保存された各単語の言語モデル又は音素単位の音響モデルとを比較することで候補単語又は候補音素を抽出し、候補単語又は候補音素に基づいて文章を認識し、該認識された文章とマッチする文章を、データベース部１５２に保存された文章から検索し、検索された文章に対応する動作命令を認識する。
【０２０７】
続いて、ディスプレイ装置は、認識された動作命令に基づいて各駆動部１５６，１５７を駆動させることによって、ユーザーの要求したコンテンツの映像が表示部１１０に表示されるようにし、且つユーザーの要求したコンテンツのサウンドがサウンド出力部１４０から出力されるようにする。
【０２０８】
その例を、図１１を参照して説明する。
【０２０９】
図１１に示すように、ディスプレイ装置は、表示部の表示領域１１０ａに複数の機能を表示した状態で第２マルチモーダルモードが実行中であれば、映像収集部及びサウンド収集部を用いてユーザーの視線及び音声を認識する。
【０２１０】
ユーザーが認識領域１１０ｂを注視し、同時に「サン」を発声したとすれば、ディスプレイ装置は、認識領域に位置する視線を認識すると同時に、音声「サン」を認識し、音声「サン」に対応する動作命令を認識する。
【０２１１】
このとき、音声「サン」に対応する動作命令が「映画」であれば、ネットワークインターフェース部を介してダウンロードした映画や、別個の記憶装置に記憶された映画を再生したり、映画に関する下位目録を表示したりする。
【０２１２】
ディスプレイ装置は、表示部にメイン映像表示中にインタラクションモードが実行されると、インタラクションモードに対応する映像をメイン映像にオーバーラップして表示する。
【０２１３】
次に、ディスプレイ装置は、表示部１１０の終了領域に視線が一定時間以上位置すると、インタラクションモードを終了し、以降、ユーザーの視線が認識領域に再び位置すると、ユーザーのインタラクションモードの進入を再び行い、これを表示部に再び表示する。
【０２１４】
図１２は、さらに他の実施例に係るディスプレイ装置の例示図である。さらに他の実施例に係るディスプレイ装置としてテレビを取り上げて説明する。
【０２１５】
さらに他の実施例に係るディスプレイ装置であるテレビは、映像をディスプレイする本体１００、本体１００の下端に装着されて本体１００を下側で支持するスタンド１６０、及びユーザーに命令を入力してもらうためのリモコン１７０を備えている。
【０２１６】
ここで、スタンド１６０は、分離可能に本体１００に結合されている。また、ディスプレイ装置であるテレビは、ブラケットなどをさらに備え、このブラケットを介して本体１００が壁に据え付けられるように構成されてもよい。このとき、スタンドは省かれてもよい。
【０２１７】
本体１００は、映像を表示する表示部１１０と、映像が非表示される領域をカバーするベゼル１２０と、を備えている。このような本体１００の構成は上記の一実施例と同一であり、その説明を省略する。
【０２１８】
本体１００は、テレビの動作命令を入力してもらうための、複数のボタンを持つ入力部（図示せず）をさらに備えてもよい。
【０２１９】
収集モジュール２００は、本体１００のベゼル１２０の上側に配置されており、ユーザー及びその周辺の映像及びサウンドを獲得し、獲得された映像及びサウンドを駆動モジュールに伝送する。
【０２２０】
収集モジュール２００は、本体１００のベゼル１２０の上端の他、ユーザーの情報を収集しやすい如何なる位置に装着されてもよい。
【０２２１】
また、収集モジュール２００はテレビと個別に備えられてもよい。すなわち、収集モジュール２００は本体１００から分離可能に設けられ、本体１００に設けられたインターフェース装置（図示せず）に連結されることで本体１００に接続してもよい。
【０２２２】
このような収集モジュール２００は、上記の一実施例と同一であり、その説明を省略する。
【０２２３】
リモコン１７０は、ユーザーの便宜のために、テレビを遠隔で制御するための装置である。
【０２２４】
テレビを遠隔調整するリモコンは、多数の機能選択ボタン、数字ボタン、電源オン／オフボタン、チャンネル切替ボタン及びボリューム調節ボタンなどを含む複数のボタン１７１と、ユーザーの音声信号を収集する第２マイクロフォン１７２と、複数のボタン１７１の信号及び音声信号を取り込んで動作信号を生成する第２マイコン（図示せず）と、第２マイコンで生成された動作信号を送信する通信部１７３と、第２マイクロフォン、複数のボタン、マイコン及び通信部に駆動電源を供給するバッテリーと、を備えている。
【０２２５】
ここで、第２サウンド収集部１７２は常に動作状態を維持する。
【０２２６】
このようなリモコン１７０は、テレビを視聴するユーザーの操作に対応して、チャンネル切替信号をテレビに伝送したり、ボリューム調節信号などの動作信号をテレビに伝送したりする。これにより、ユーザーはテレビの各種機能を便利に調整することができる。
【０２２７】
なお、放送視聴及びインターネット可能なディスプレイ装置を制御するためのリモコンは、放送視聴を制御するためのボタンの他にも、インターネット機能を選択及び制御するための複数のボタンを有する。
【０２２８】
図１３は、さらに他の実施例に係るディスプレイ装置であるテレビの制御構成図である。
【０２２９】
さらに他の実施例に係るディスプレイ装置であるテレビは、ユーザーの命令を収集して生成されたインタラクション情報、本体１００に設けられた入力部（図示せず）からの信号、又はリモコン１７０からの信号に基づいて動作する。
【０２３０】
このテレビは、ユーザーの命令を収集する収集モジュールとして映像収集部２２０及びサウンド収集部２３０を備え、ユーザーの命令に基づいて動作を制御するための駆動モジュール１８０を備え、動作実行を出力するための出力モジュールとして表示部１１０及びサウンド出力部１４０を備えている。
【０２３１】
ここで、駆動モジュール１８０は、入力部（図示せず）からの信号又はリモコン１７０からの信号に基づいて、表示部１１０及びサウンド出力部１４０の少なくとも一方の動作を制御する。
【０２３２】
すなわち、駆動モジュール１８０は、映像収集部２２０及びサウンド収集部２３０の少なくとも一方の収集部で収集された情報に基づいて、インタラクションモードの進入及び終了を制御し、インタラクションモード進入後にインタラクションモードを行い、表示部１１０及びサウンド出力部１４０の少なくとも一方の動作を制御する。
【０２３３】
このようなテレビの駆動モジュール１８０は、放送部１８１、インターフェース部１８２、認識部１８３、データベース部１８４、受信部１８５、制御部１８６、保存部１８７及び駆動部１８８を備えている。
【０２３４】
放送部１８１は、チューナー部１８１ａ及び信号処理部１８１ｂを備えている。
【０２３５】
チューナー部１８１ａは、制御部１８６のチューニング制御信号に応じて対応の周波数帯域を持つ放送信号を放送局又は衛星から有線又は無線で受信してチューニングする。
【０２３６】
信号処理部１８１ｂは、放送信号を、映像データを持つ映像信号と、サウンドデータを持つサウンド信号と、付加データを持つ付加信号とに分離し、分離された映像データの信号及びサウンドデータの信号をそれぞれ信号処理し、付加データをＧＵＩ生成部（図示せず）に伝送する。ここで、付加データはＥＰＧ（Ｅｌｅｃｔｒｏｎｉｃ  Ｐｒｏｇｒａｍ  Ｇｕｉｄｅ）を含む。
【０２３７】
信号処理部１８１ｂは、ネットワークインターフェース部１８２ｂから伝送された信号を、映像データを持つ映像信号と、サウンドデータを持つサウンド信号とに分離し、分離された映像信号及びサウンド信号をそれぞれ信号処理してもよい。
【０２３８】
インターフェース部１８２は、入力インターフェース部１８２ａ及びネットワークインターフェース部１８２ｂを備えている。
【０２３９】
入力インターフェース部１８２ａは、収集モジュール２００が接続され、収集モジュール２００で収集された映像信号及びサウンド信号を受信して認識部１８３に伝送する。
【０２４０】
ネットワークインターフェース部１８２ｂは、ＩＰアドレスの割り当てを受けてネットワーク通信を行い、ネットワークを介して外部から伝送されたデータパケットを受信して処理し、データパケットが映像、サウンドなどのマルチメディアデータである場合には保存や再生され得るように制御部１８６に伝送する。
【０２４１】
認識部１８３は、ユーザーの顔及び瞳孔を認識した後、認識された瞳孔の情報に基づいてユーザーの視線を認識し、ユーザーの命令を認識する。
【０２４２】
認識部１８３は、受信部１８５から伝送されたサウンド信号からユーザーの音声を認識し、認識された音声に対応する動作命令を認識する。
【０２４３】
その他の認識部１８３の構成は、上記の一実施例と同一であり、その説明を省略する。
【０２４４】
データベース部１８４は、上記の一実施例と同一であり、その説明を省略する。
【０２４５】
受信部１８５は、リモコン１７０に設けられた複数のボタン１７１のうちいずれかのボタン信号、及びリモコン１７０に設けられた第２サウンド収集部１７２のサウンド信号を受信する。
【０２４６】
受信部１８５は、受信したリモコンのボタン信号及びサウンド信号を認識部１８３及び制御部１８３に伝送する。
【０２４７】
制御部１８６は、信号処理部１８１ｂで信号処理された映像データが表示部１１０に表示されるように制御し、信号処理されたサウンドがサウンド出力部１４０から出力されるように制御する。
【０２４８】
制御部１８６は、リモコン１７０から伝達されるボタン信号に基づいてユーザー命令を判断し、判断されたユーザー命令に応じて表示部１１０の駆動を制御し、リモコン１７０からインターネット機能実行要請信号を受信すると、ネットワークインターフェース部を制御しインターネット接続されるようにし、認識領域にユーザーの視線が位置すると、収集モジュールの駆動を制御してインタラクションモードが実行されるようにする。
【０２４９】
インタラクションモード進入、インタラクションモード実行を制御する制御部１８６の構成は、上記の一実施例と同一であり、その説明を省略する。
【０２５０】
保存部１８７は、上記の一実施例と同一であり、その説明を省略する。
【０２５１】
駆動部１８８は、表示駆動部１８８ａ及びサウンド駆動部１８８ｂを備えている。ここで、表示駆動部１８８ａ及びサウンド駆動部１８８ｂは上記の一実施例と同一であり、その説明を省略する。
【０２５２】
図１４は、さらに他の実施例に係るディスプレイ装置であるテレビの制御フローチャートである。
【０２５３】
まず、テレビは、電源が印加されると、映像収集部２２０を動作させて映像を収集し、収集された映像に基づいて顔を認識し、認識された顔に基づいてユーザーの瞳孔を認識し、瞳孔の位置に対応する視線を認識する（５０１）。
【０２５４】
次いで、テレビは、認識された視線が認識領域に位置するか否か判断し（５０２）、認識された視線が認識領域に位置していると判断されると、認識された視線が認識領域をあらかじめ設定された一定時間以上注視しているか否か判断し（５０３）、この時、認識された視線が認識領域をあらかじめ設定された一定時間以上注視していると判断されると、インタラクションモードに進入し（５０４）、図１０の動作４０２と同様、インタラクションモードに進入することをユーザーが認識できるように、表示部１１０内の認識領域の表示情報を変更して表示する。
【０２５５】
以上の過程は、上記の一実施例と同一である。
【０２５６】
次に、テレビは、動作命令を入力してもらうための複数の認識モードを表示し（５０５）、ユーザーの視線の位置を確認した後、確認された視線の位置に基づいて、ユーザーにより選択された認識モードを判断する（５０６）。
【０２５７】
すなわち、テレビは、複数の認識モードボタンの位置の中から、確認された視線の位置とマッチする位置を判断することによって、ユーザーの選択した認識モードを判断する。
【０２５８】
この時、テレビは、ユーザーが視線の位置を確認できるように、表示部１１０にユーザーの視線の位置をカーソルで実時間表示する。
【０２５９】
続いて、テレビは、判断された認識モードを実行し（５０７）、認識モード実行による認識結果に基づいて動作命令を認識し、認識された動作命令に基づいて各駆動部を動作させる（５０８）。
【０２６０】
各認識モードの選択によって動作命令を認識する構成についてより具体的に説明する。
【０２６１】
（１）テレビは、ユーザーによりモーション認識が選択された場合に、ユーザーの取ったモーションを認識し、データベース部１８４に保存されたモーションの中から、認識されたモーションとマッチするモーションを検索し、検索されたモーションに対応する動作命令を認識する。
【０２６２】
続いて、テレビは、認識された動作命令に基づいて駆動部１８８を駆動させることによって、ユーザーの要求した放送又はコンテンツの映像が表示部１１０に表示されるようにし、且つユーザーの要求した放送又はコンテンツのサウンドがサウンド出力部１４０から出力されるようにする。
【０２６３】
（２）テレビは、ユーザーにより音声認識が選択された場合に、第１サウンド収集部２３０を動作させ、第１サウンド収集部２３０又は第２サウンド収集部１７２で収集されたサウンド内の音声による文章を認識し、認識された文章とマッチする文章を、データベース部１８４に保存された文章から検索し、検索された文章に対応する動作命令を認識する。
【０２６４】
次いで、テレビは、認識された動作命令に基づいて駆動部１８８を駆動させることによって、ユーザーの要求した放送又はコンテンツの映像が表示部１１０に表示されるようにし、且つユーザーの要求した放送又はコンテンツのサウンドがサウンド出力部１４０から出力されるようにする。
【０２６５】
（３）テレビは、ユーザーにより視線認識が選択された場合に、映像収集部の動作を維持させ、表示部１１０にポップアップメニューを表示し、映像収集部２２０で収集された映像を用いてユーザーの顔及び瞳孔を認識し、認識された瞳孔に基づいて視線を追跡し、追跡された視線の位置を確認することによって、ポップアップメニューのうち、ユーザーにより選択されたメニューに対応する動作を行う。
【０２６６】
ここで、ポップアップメニューは複数のメニューを有し、各メニューは、動作命令ボタンを有する。
【０２６７】
すなわち、テレビは、ポップアップメニュー内の複数の動作命令ボタンの位置の中から、ユーザーの視線の位置とマッチする位置を有するボタンを確認し、確認されたボタンに対応する動作を行う。これを、図１５及び図１６を参照して説明する。
【０２６８】
図１５に示すように、表示部１１０に、機能変更ボタン、チャンネル／ボリューム調整ボタン、認識モード変更ボタン、画面調整ボタン及び終了ボタンを有しているポップアップメニューＰ２が表示された場合に、各ボタンの位置の中から、視線の位置とマッチする位置を有するボタンを判断する。ここで、機能としては、放送機能、インターネット機能、外部機器との通信機能などを含む。
【０２６９】
視線の位置がチャンネル／ボリューム調整ボタンの位置であれば、図１６に示すように、表示部１１０に、ボリューム調整のためのボリュームアップ／ダウンボタンａ５、チャンネル調整のためのチャンネルアップ／ダウンボタンａ６、及び視線の位置を表すカーソルａ４を表示する。
【０２７０】
続いて、テレビは、ユーザーの視線の位置とボリュームアップ／ダウンボタンａ５又はチャンネルアップ／ダウンボタンａ６の位置とを比較し、チャンネル又はボリュームをアップさせたりダウンさせたりする。
【０２７１】
なお、視線認識を用いたボタンの選択は、目の瞬き、又は視線がボタンに位置する時間に基づいて判断すればよい。
【０２７２】
この時、テレビは、表示部に表示されるメイン映像に視線認識のためのボタンをオーバーラップして表示する。
【０２７３】
次に、テレビは、表示部１１０の終了領域に視線が一定時間以上位置するとインタラクションモードを終了し、以降、ユーザーの視線が認識領域に再び位置すると、をユーザーの認識モード変更要求と判断し、複数の認識モードボタンを再表示する。
【０２７４】
さらに、テレビは、表示部１１０の外部に視線が一定時間以上位置するとインタラクションモードを終了させてもよい。
【符号の説明】
【０２７５】
１００                    本体
１１０                    表示部
１２０                    ベゼル
１３０，１５０，１８０    駆動モジュール
２００                    収集モジュール
【図１】
2014086085.tif 000003
【図２Ａ】
2014086085.tif 000004
【図２Ｂ】
2014086085.tif 000005
【図２Ｃ】
2014086085.tif 000006
【図３Ａ】
2014086085.tif 000007
【図３Ｂ】
2014086085.tif 000008
【図４】
2014086085.tif 000009
【図５】
2014086085.tif 000010
【図６】
2014086085.tif 000011
【図７】
2014086085.tif 000012
【図８Ａ】
2014086085.tif 000013
【図８Ｂ】
2014086085.tif 000014
【図９】
2014086085.tif 000015
【図１０】
2014086085.tif 000016
【図１１】
2014086085.tif 000017
【図１２】
2014086085.tif 000018
【図１３】
2014086085.tif 000019
【図１４】
2014086085.tif 000020
【図１５】
2014086085.tif 000021
【図１６】
2014086085.tif 000022